(57)【要約】    【課題】安価な構成により、標示板をむらなく均一に、かつ、効率よく照らすことができる両面標示式の内照式標示装置を提供する。    【解決手段】円筒状の箱体１の両開口を塞ぐように、半透光性の標示板２を設ける。箱体１に、標示板２に裏面側から照射する光を発する光源３を内装する。光源３を標示板２の周縁部の裏面側に位置させる。箱体１の内周面を覆うように、光拡散性を有する反射板４を設ける。光源３の発する光は、反射板４で拡散反射されてから標示板２を照らす。反射板４は、箱体１の内周面からの光の漏れ出しや吸収を阻止し、標示板２を照らす効率を高める。【選択図】  図１
2006125144.tif 000002
【特許請求の範囲】
【請求項１】
正面側および背面側に開口を有する略筒状の箱体と、該箱体の両開口を塞ぐように設けられた半透光性の標示板と、該標示板に裏面側から照射する光を発する光源とを備え、
前記光源は、標示板の周縁部の裏面側に位置するように前記箱体に内装され、
前記箱体の内周面に、光拡散性を有する反射板が設けられたことを特徴とする内照式標示装置。
【請求項２】
前記光源は、箱体の内周面の複数箇所に配置されたことを特徴とする請求項１に記載の内照式標示装置。
【請求項３】
前記光源は、発光ダイオードとされたことを特徴とする請求項１又は２に記載の内照式標示装置。
【請求項４】
前記箱体が略円筒形とされ、前記標示板が略円形とされたことを特徴とする請求項１、２又は３に記載の内照式標示装置。
【発明の詳細な説明】
【技術分野】
【０００１】
本発明は、例えば内照式規制標識や内照式指示標識、内照式看板のような内照式標示装置であって、その正面側および背面側に標示面を有する両面標示式の内照式標示装置に関するものである。
【背景技術】
【０００２】
一般に、内照式規制標識や内照式指示標識、内照式看板などは、その正面側および背面側に標示面を有する両面標示式の内照式標示装置とされることが多い。
【０００３】
両面標示式の内照式標示装置は、正面側および背面側に開口を有する略筒状の箱体に、その両開口を塞ぐように半透光性の標示板を設けると共に、標示板に光を照射するための光源を内装した構造とされる。箱体に内装された光源は、正面側の標示板と背面側の標示板との中央に配置され、それぞれの標示板に裏面側から光を照射することにより、両標示面を明るくしてその視認性を高める。
【０００４】
このような両面標示式の内照式標示装置は、光源が発した光の大部分を直接に標示板に向かわせるため、標示面に明るさのむらが生じやすい。特に、内照式標示装置の全体の厚さが薄く、標示板と光源との間隔が小さい場合には、標示面に光源の輪郭が浮き出しやすい。一方、内照式標示装置の全体の厚さが厚く、標示板と光源との間隔が大きい場合には、光が箱体内に吸収されやすく、その分、標示面を照らす効率が低下しやすい。
【０００５】
これに対して、図３に示すように、導光板１０１の周縁部に光源１０２を配置すると共に、導光板１０１の正面側および背面側に標示板（標示シート）１０３を配置することがある（例えば特許文献１）。光源１０２が発する光は、導光板１０１にその端面から導入されて正面および背面から均一に放射され、標示面をむらなく効率よく照らす。
【特許文献１】特開平１０−１２５１２０号公報（段落番号００２９、第８図）
【発明の開示】
【発明が解決しようとする課題】
【０００６】
ところが、特許文献１のように導光板を備えた内照式標示装置は、その導光板が高価であるため、内照式標示装置の全体のコストも高くなりやすい。
【０００７】
本発明は、安価な構成により、標示板をむらなく均一に、かつ、効率よく照らすことができる両面標示式の内照式標示装置を提供することを目的とする。
【課題を解決するための手段】
【０００８】
上記目的を達成するために、本発明に係る内照式標示装置は、正面側および背面側に開口を有する略筒状の箱体と、この箱体の両開口を塞ぐように設けられた半透光性の標示板と、この標示板に裏面側から照射する光を発する光源とを備えたものであり、その光源を標示板の周縁部の裏面側に位置するように箱体に内装し、箱体の内周面に、光拡散性を有する反射板を設けたものである。
【０００９】
この構成によれば、光源を標示板の周縁部の裏面側に位置させると共に、箱体の内周面に光拡散性を有する反射板を設けるので、光源が発する光の大部分は、直接に標示板を透過することなく、箱体内で反射されつつ十分に拡散されてから標示板を透過する。これにより、光源の輪郭が浮き出るなどの標示面の明るさのむらをなくすと共に、箱体の内周面からの光の漏れ出しや吸収を阻止して、標示板を照らす効率を高めることができる。
【００１０】
本発明に係る内照式標示装置は、一つの光源だけを備えたものであってもよいが、光源を箱体の内周面の複数箇所に配置すれば、光源が複数の位置に分散される分、標示面の明るさをより均一にすることができる。
【００１１】
光源は、蛍光灯などどのようなものであってもよいが、光源として発光ダイオードを採用すれば、各々の光源を小型化することができるので、光源の配置スペースを狭くすることができると共に、標示板の周縁部にまんべんなく配置することができ、標示板をより均一に照らすことができる。
【００１２】
箱体および標示板は、箱体が筒状であってその開口と標示板とが対応する形状であればよく、角筒形の箱体および長方形の標示板など、あらゆる形状のものを採用することができるが、箱体を略円筒形として標示板を略円形とすれば、本発明の好適な態様を提供することができる。
【００１３】
つまり、箱体を円筒形にして、反射板を設ける箱体内周面を曲面に構成することにより、箱体による光の拡散性を高めて、標示板をより均一に照らすことができる。また、例えば角筒形の箱体に複数の光源を配置する場合、そのコーナー部の近傍の標示板には、光が十分に行き渡らない部分や、隣接する光源によって二重に照らされる部分が生じやすいが、略円筒形の箱体および略円形の標示板を備えた内照式標示装置は、箱体内周面にコーナー部のない構成であり、標示板の全体を均一な明るさにすることができる。
【発明の効果】
【００１４】
以上のとおり、本発明によると、略筒状の箱体の内周面に光拡散性を有する反射板を設けているので、光源の発する光を箱体内で拡散させてから標示板を透過させると共に、箱体内周面における光の漏れ出しや吸収を阻止することができる。これにより、安価な構成で、標示板をむらなく均一に、かつ、効率よく照らすことができるので、両面標示式の内照式標示装置のコストを低減しつつ、標示板の視認性を高めると共に、光源の省エネルギー化を図ることができる。
【発明を実施するための最良の形態】
【００１５】
以下、本発明に係る内照式標示装置を実施するための最良の形態について、図面を用いて説明する。図１は本発明に係る内照式標示装置の斜視図であり、図２は図１のＡ−Ａ断面図である。
【００１６】
この内照式標示装置は、正面側および背面側に標示面を有し、内照式規制標識や内照式指示標識、内照式看板などとして用いられる両面標示式の内照式標示装置であり、正面側および背面側に開口を有する円筒状の箱体１と、箱体１の両開口を塞ぐように設けられた円形で半透光性の標示板２と、箱体１に内装されて標示板２の裏面に照射する光を発する光源３と、光源３が発した光を拡散しつつ反射する反射板４とを備えている。
【００１７】
箱体１は、アルミニウムなどの金属や合成樹脂などからなり、その正面側および背面側の開口に、断面略Ｌ字形で全体として円形を構成する標示板取付枠５が外嵌される。箱体２の開口周縁には鍔６が設けられ、この鍔６と標示板取付枠５との間に、標示板２の周縁部を保持するようになっている。なお、図１における７は支柱（図示せず）への取付部である。
【００１８】
標示板２は、例えば、表示内容を示すアクリル板や、透明板又は半透明板の表面に表示内容を示す繊維シートを貼り付けたものであり、光源３が発した光が裏面側（箱体１の内部）から表面側（箱体１の外部）に透過することにより、その標示面が明るくなって視認性が高まるようになっている。
【００１９】
光源３は、複数のＬＥＤ３ａ（高輝度白色発光ダイオード）をユニット化してなり、箱体１の内周面の前後方向における中央部、かつ周方向における複数箇所に一定間隔で分散配置されている。これにより、光源３は、正面側の標示板２までの距離と背面側の標示板２までの距離とが等しくなると共に、標示板２の周縁部における裏面側に位置し、その一部が標示板取付枠５に隠れるようになっている。
【００２０】
反射板４は、光拡散性を有するものとされ、箱体１の内周面を覆うように設けられる。光拡散性を有する反射板は、内照式標示装置や照明器具の反射板として一般に用いられるものであり、反射面に微細な凹凸を形成したものや、反射層としての金属層に拡散層としての樹脂フィルム層を積層したものなど、あらゆるものを採用することができる。金属層に樹脂フィルム層を積層したものとして、例えば三菱樹脂社製のヒシメタル（登録商標）を例示できる。
【００２１】
次に、光源３の発する光が標示板２を照らす様子を説明する。図２に示すように、光源３が発した光８は、箱体１の中心に向かって進み、箱体１の中心軸に対して反対側に位置する部位の反射板４に当たって拡散されつつ反射される。
【００２２】
反射板４で拡散反射された光９、１０のうち、一部の光９は標示板２に向かい、残りの光１０は再び反射板４の他の部位に当たって拡散反射される。標示板２に向かう光９は、その一部の光１１が表面側に透過し、残りの光１２が裏面側に反射される。裏面側に反射された光１２は、再び反射板４あるいは他方の標示板２に向かう。この拡散反射が繰り返されて標示板２の全面が均一かつ効率的に照らされる。
【００２３】
上記構成によれば、複数のＬＥＤ３ａをユニット化して構成した光源３を箱体１の内周面に分散配置し、その光源３からの光を標示板２と反射板４との間で反射しながら拡散するので、標示板２に光源３の輪郭が映るなどの明るさのむらをなくすことができる。しかも、箱体２の内周面を反射板４で覆っているので、標示板２を除く部位における光の漏れ出しや吸収を阻止して、標示板２を効率よく照らすことができる。
【００２４】
なお、本発明は、上記の実施に形態に限定されるものではなく、本発明の範囲内において、適宜変更を加えることができる。例えば、箱体１および標示板２は、円筒形と円形との組合せに限らず、角筒形と長方形との組合せなどどのようなものでもよい。光源３は、ＬＥＤ３ａをユニット化したものだけでなく、蛍光灯などあらゆるものを採用することができ、複数の光源３を設ける代わりに、光源３を１つだけ設けるようにしてもよい。
【図面の簡単な説明】
【００２５】
【図１】本発明に係る内照式標示装置の斜視図
【図２】図１のＡ−Ａ断面図
【図３】従来の内照式標示装置の断面図
【符号の説明】
【００２６】
１    箱体
２    標示板
３    光源
４    反射板
【図１】
2006125144.tif 000003
【図２】
2006125144.tif 000004
【図３】
2006125144.tif 000005